(57)【要約】      （修正有）【課題】被り物の内部の温度上昇を抑える頭部冷却具を提供する。【解決手段】被り物の内部に設けられる頭部冷却具１０は、扁平袋状に形成された冷却具本体１１とそれに収容された保水シート１２とを備える。冷却具本体１１には、保水シート１２に保水させる水を供給のための水供給部１７が設けられていると共に、保水シート１２に保水した水が蒸発して発生した水蒸気を外部に放出するための水蒸気放出部１５が構成されている。【選択図】図４
0003150158.tif 000002
【実用新案登録請求の範囲】
【請求項１】
被り物の内部に設けられる頭部冷却具であって、
扁平袋状に形成された冷却具本体と、
上記冷却具本体に収容された保水シートと、
を備え、
上記冷却具本体には、上記保水シートに保水させる水を供給のための水供給部が設けられていると共に、該保水シートに保水した水が蒸発して発生した水蒸気を外部に放出するための水蒸気放出部が構成されていることを特徴とする頭部冷却具。
【請求項２】
請求項１に記載された頭部冷却具において、
上記水供給部はシールファスナにより構成されていることを特徴とする頭部冷却具。
【請求項３】
請求項１又は２に記載された頭部冷却具において、
上記水蒸気放出部は、上記冷却具本体が気体透過可で且つ液体透過不可の生地で形成されていることにより構成されていることを特徴とする頭部冷却具。
【考案の詳細な説明】
【技術分野】
【０００１】
本考案は被り物の内部に設けられる頭部冷却具に関する。
【背景技術】
【０００２】
例えば、真夏の工事現場等で屋外作業を行う場合、直射日光を受けたヘルメットの内部の温度はかなりの高温まで上昇する。かかる温度上昇は、作業者に不快感及び疲労感を与え、また、作業効率及び安全性を低下させることとなる。
【０００３】
そこで、ヘルメットの内部の温度上昇を抑えることを目的として、例えば、特許文献１には、ヘルメットに断熱材入りのカバーを取り付けることが開示されている。
【先行技術文献】
【特許文献】
【０００４】
【特許文献１】特開平９−２２８１３５号公報
【考案の概要】
【考案が解決しようとする課題】
【０００５】
本考案の課題は、被り物の内部の温度上昇を抑えることである。
【課題を解決するための手段】
【０００６】
本考案は、被り物の内部に設けられる頭部冷却具であって、
扁平袋状に形成された冷却具本体と、
上記冷却具本体に収容された保水シートと、
を備え、
上記冷却具本体には、上記保水シートに保水させる水を供給のための水供給部が設けられていると共に、該保水シートに保水した水が蒸発して発生した水蒸気を外部に放出するための水蒸気放出部が構成されていることを特徴とする。
【考案の効果】
【０００７】
本考案によれば、冷却具本体に収容された保水シートに水供給部から水を供給して保水させ、そして、被り物の内部に設ければ、保水シートに保水した水が蒸発して発生した水蒸気が水蒸気放出部を介して外部に放出され、そのときに被り物の内部の熱が気化熱として奪われることにより被り物の内部の温度上昇を抑えることができる。
【図面の簡単な説明】
【０００８】
【図１】実施形態１に係る頭部冷却具の斜視図である。
【図２】実施形態１に係る頭部冷却具の断面図である。
【図３】（ａ）及び（ｂ）は頭部冷却具に取付部材が設けられた状態を示す平面図である。
【図４】実施形態１に係る頭部冷却具のシールファスナを開いた状態を示す斜視図である。
【図５】実施形態１に係る頭部冷却具の使用状態を示す説明図である。
【図６】実施形態２に係る頭部冷却具の斜視図である。
【考案を実施するための形態】
【０００９】
以下、実施形態について図面に基づいて詳細に説明する。
【００１０】
（実施形態１）
図１及び２は実施形態１に係る頭部冷却具１０を示す。この実施形態１に係る頭部冷却具１０は、ヘルメットや帽子等の被り物の内部に設けられて使用されるものである。
【００１１】
実施形態１に係る頭部冷却具１０は、円形扁平の袋状に形成された冷却具本体１１に保水シート１２が収容されて円盤状に形成されている。頭部冷却具１０は、例えば、外径が１００〜２００ｍｍ、及び厚さが８〜１８ｍｍである。
【００１２】
冷却具本体１１は、円形の内側シート１３の裏面に、それよりも外径の小さい塩化ビニル等の環状の接着シート１４を重ね、さらにその上に内側シート１３と同形の外側シート１５を表面が外側となるように重ね、そして、高周波ウエルダーにより、接着シート１４を溶融させて内側及び外側シート１３，１５を溶着させたものである。
【００１３】
冷却具本体１１は、内側及び外側シート１３，１５が気体透過可で且つ液体透過不可の生地で形成されている。かかる生地は、レインコートやスポーツウエアの素材として広く用いられているものである。
【００１４】
冷却具本体１１は、内側及び外側シート１３，１５を外側から挟むように周縁にバイアステープ１６が設けられ、その上からミシン掛けがなされて縫い合わされている。
【００１５】
冷却具本体１１は、外側シート１５にスリット状の開口が形成されていると共に、その開口を封じるようにシールファスナ１７が設けられている。
【００１６】
保水シート１２は、例えば、スポンジや不織布で構成されている。不織布としては、例えば、帝人ファイバー株式会社の商品名ベルオアシスのものが好適である。保水シート１２は、例えば、外径が８０〜１５０ｍｍ、及び厚さが５〜１５ｍｍである。
【００１７】
実施形態１に係る頭部冷却具１０は、ヘルメットや帽子等の被り物の種類に応じて取付部材が設けられていることが好ましい。具体的には、例えば、図３（ａ）に示すように、両側方のそれぞれに延びる取付ベルト１８を設けた構成とし、それらをヘルメット内側の環状帯部に着脱可能に取り付ける構造であってもよく、また、図３（ｂ）に示すように、外側シート１５の中心に面ファスナ１９の一方を設けた構成とし、それを帽子内側の頂部に設けられた面ファスナの他方に着脱可能に取り付けるようにしてもよい。
【００１８】
次に、実施形態１に係る頭部冷却具１０の使用方法について説明する。
【００１９】
まず、図４に示すように、シールファスナ１７を開いて保水シート１２に適量の水を保水させる。このとき、冷却具本体１１の内部の保水シート１２に水を注いでもよく、また、冷却具本体１１から保水シート１２を取り出して水に浸漬してもよい。従って、このシールファスナ１７が保水シート１２に保水させる水を供給のための水供給部を構成する。
【００２０】
次いで、シールファスナ１７を閉じる。このとき、冷却具本体１１から水漏れすることなく、保水した保水シート１２が冷却具本体１１内に密閉される。
【００２１】
続いて、図５に示すように、頭部冷却具１０を、シールファスナ１７の無い内側シート１３が頭側、及び外側シート１５が被り物側となるように例えばヘルメット（被り物）Ｈ内に設け、そして、頭部冷却具１０が頭頂部に載るようにヘルメットＨを被る。このとき、保水シート１２に保水した水が蒸発して発生した水蒸気が内側シート１３及び外側シート１５を介して外部に放出され、そのときにヘルメットＨの内部の熱が気化熱として奪われることによりヘルメットＨの内部の温度上昇を抑えることができる。従って、内側シート１３及び外側シート１５が水蒸気放出部を構成する。
【００２２】
（実施形態２）
図６は実施形態２に係る頭部冷却具１０を示す。なお、実施形態１と同一名称の部分は実施形態１と同一符号で示す。この実施形態２に係る頭部冷却具１０も、ヘルメットや帽子等の被り物の内部に設けられて使用されるものである。
【００２３】
実施形態２に係る頭部冷却具１０は、円形扁平の袋状に形成された冷却具本体１１に保水シート１２が収容されて円盤状に形成されている。頭部冷却具１０は、例えば、外径が１００〜２００ｍｍ、及び厚さが８〜１８ｍｍである。
【００２４】
冷却具本体１１は、円形の内側シート１３の裏面に、それよりも外径の小さい円形の外側シート１５を表面が外側となるように重ね、そして、外側シート１５の外周部にミシン掛けがなされて縫い合わされたものである。また、冷却具本体１１は、内側シート１３を両側から挟むように周縁にバイアステープ１６が設けられ、その上からミシン掛けがなされて縫い合わされている。
【００２５】
内側シート１３は、気体及び液体透過不可の生地、或いは、気体透過可で且つ液体透過不可の生地で形成されている。前者としては、例えば、塩化ビニルシートなどの樹脂シート等が挙げられ、後者としては、例えば、レインコートやスポーツウエアの素材として広く用いられている生地が挙げられる。
【００２６】
外側シート１５は、メッシュ生地で構成されている。
【００２７】
保水シート１２は、冷却具本体１１における内側シート１３と外側シート１５との間の部分に収容され、例えば、スポンジや不織布で構成されている。不織布としては、例えば、帝人ファイバー株式会社の商品名ベルオアシスのものが好適である。保水シート１２は、例えば、外径が５０〜１００ｍｍ、及び厚さが５〜１５ｍｍである。
【００２８】
実施形態２に係る頭部冷却具１０は、ヘルメットや帽子等の被り物の種類に応じて取付部材が設けられていることが好ましい。
【００２９】
次に、実施形態２に係る頭部冷却具１０の使用方法について説明する。
【００３０】
まず、頭部冷却具１０を水に浸漬する。このとき、メッシュ生地の外側シート１５から冷却具本体１１の内部に水が流入し、保水シート１２が水を保水する。従って、メッシュ生地の外側シート１５が保水シート１２に保水させる水を供給のための水供給部を構成する。
【００３１】
次いで、頭部冷却具１０を絞る等して、水が滴らない程度に保水シート１２が適度の水を保水するようにする。
【００３２】
続いて、頭部冷却具１０を、内側シート１３が頭側、及び外側シート１５が被り物側となるように例えば帽子（被り物）内に設け、そして、頭部冷却具１０が頭頂部に載るように帽子を被る。このとき、保水シート１２に保水した水が蒸発して発生した水蒸気がメッシュ生地の外側シート１５を介して外部に放出され、そのときに帽子の内部の熱が気化熱として奪われることにより温度上昇を抑えることができる。従って、メッシュ生地の外側シート１５が水蒸気放出部を構成する。
【００３３】
このような操作は幼児等の子供にも容易に行うことができ、従って、この実施形態２に係る頭部冷却具１０は、特に、幼児等の子供用の帽子に好適に用いることができる。
【００３４】
（その他の実施形態）
上記実施形態１及び２では、円盤状の頭部冷却具１０としたが、特にこれに限定されるものではなく、矩形等の多角形状や楕円形状のものであってもよい。
【００３５】
上記実施形態１では、冷却具本体１１の内側及び外側シート１３，１５が気体透過可で且つ液体透過不可の生地で形成されたものとしたが、特にこれに限定されるものではなく、内側及び外側シート１３，１５のいずれか一方、或いは、一部分がかかる生地で形成され、それによって水蒸気放出部が構成されたものであってもよい。
【００３６】
上記実施形態１では、シールファスナ１７を用いた構成としたが、特にこれに限定されるものではなく、シール機能を有さないファスナや面ファスナであってもよい。但し、冷却具本体１１からの水漏れを防止する観点からは、実施形態１のようにシールファスナ１７を用いた構成であることが好ましい。
【実施例】
【００３７】
（試験方法）
上記実施形態１と同様の構成の頭部冷却具（保水シート：スポンジ）、並びに綿製の白色の野球帽、ポリエステル製の白色のメッシュ野球帽、及びＡＢＳ製の白色のヘルメットを準備した。
【００３８】
そして、綿製の野球帽、ポリエステル製のメッシュ野球帽、及びライナーの無いＡＢＳ製ヘルメットのそれぞれの被り物について、調温容器内において、発泡スチロールの人形の頭に、内側に頭部冷却具を設けた被り物を被せ、その上からハロゲンランプを点灯して光を照射し、容器内温度、被り物外部温度、及び被り物内部温度を経時的に間隔をおいてデータ採取した。また、同様に、綿製の野球帽について、調温容器内において、発泡スチロールの人形の頭に被り物をそのまま被せ、その上からハロゲンランプを点灯して光を照射し、容器内温度、被り物外部温度、及び被り物内部温度を間隔をおいて経時的にデータ採取した。
【００３９】
（試験結果）
表１は試験結果を示す。
【００４０】
【表１】
0003150158.tif 000003
【００４１】
表１に示す結果によれば、頭部冷却具を用いれば、被り物内部温度が容器内温度（周辺温度）及び被り物外部温度のいずれよりも低くなるのに対し、頭部冷却具を用いなければ、被り物内部温度が容器内温度（周辺温度）及び被り物外部温度と同水準或いは高くなることが分かる。また、綿製の白色の野球帽の場合には、頭部冷却具を用いることにより、それを用いない場合に比較して、２時間の光照射後の被り物内部温度が２０℃近くも低くなることが分かる。
【産業上の利用可能性】
【００４２】
本考案は被り物の内部に設けられる頭部冷却具について有用である。
【符号の説明】
【００４３】
Ｈ  ヘルメット（被り物）
１０  頭部冷却具
１１  冷却具本体
１２  保水シート
１３  内側シート（水蒸気放出部）
１５  外側シート（水蒸気放出部）
１７  シールファスナ（水供給部）
【図１】
0003150158.tif 000004
【図２】
0003150158.tif 000005
【図３】
0003150158.tif 000006
【図４】
0003150158.tif 000007
【図５】
0003150158.tif 000008
【図６】
0003150158.tif 000009